(57)【要約】【課題】部品の発熱により加熱される筐体の部分を冷却することができ、加熱によるドライバＩＣ等の部品の寿命低下を抑制することができる表示装置、及び該表示装置を備えるテレビジョン受信機を提供する。【解決手段】ＴＶ受信機は、表示モジュール２と、表示モジュール２の背後に配され、複数の部品が支持された第１支持板４，第２支持板５と、第１支持板４の背面に設けられた第１ファンと、排気孔及び吸気孔を有する筐体３とを備える。第１支持板４の背面には第２ファン８が設けられ、筐体３には第２ファン８に対応させて第２吸気孔３３及び第２排気孔３４が設けられ、表示モジュール２と第１支持板４との間には、第１ファンから分離して第２ファンを囲む仕切り部９３が設けられている。【選択図】図５
2017151218.tif 000002
【特許請求の範囲】
【請求項１】
正面に表示パネルを有する表示部と、該表示部の背面に配され、複数の部品が支持された部品支持板と、該部品支持板の背面に設けられたファンと、前記表示部、前記部品支持板、及び前記ファンを収容し、吸気孔及び排気孔を有する筐体とを備え、前記ファンの駆動により前記吸気孔から吸気された空気が、前記表示部と前記部品支持板との間を通流して前記排気孔から排気される表示装置において、
前記背面に設けられた第２のファンと、
前記第２のファンに対応させて前記筐体に設けられた第２の吸気孔、及び第２の排気孔と、
前記表示部と前記部品支持板との間に、前記ファンから分離して前記第２のファンを囲むように設けられた仕切り部と
を備えることを特徴とする表示装置。
【請求項２】
前記第２のファンは、前記背面の端縁部側の中央部に設けられていることを特徴とする請求項１に記載の表示装置。
【請求項３】
前記第２のファンは、排気面を前記背面に対向させて設けられていることを特徴とする請求項１又は２に記載の表示装置。
【請求項４】
前記表示部と前記部品支持板との間に、前記仕切り部に連結され、各ファンを仕切る第２の仕切り部を備えることを特徴とする請求項１から３まのでいずれか１項に記載の表示装置。
【請求項５】
請求項１から４までのいずれか１項に記載の表示装置と、
テレビジョン放送を受信する受信部と
を備え、
前記受信部にて受信したテレビジョン放送に基づいて、前記表示装置に映像を表示することを特徴とするテレビジョン受信機。
【発明の詳細な説明】
【技術分野】
【０００１】
本発明は、表示部と、表示部の背面に配され、複数の部品が支持された部品支持板と、部品支持板の背面に設けられたファンと、表示部、部品支持板、及びファンを収容し、吸気孔及び排気孔を有する筐体とを備える表示装置、及び該表示装置を備えるテレビジョン受信機に関する。
【背景技術】
【０００２】
例えば液晶テレビジョン受信機等のテレビジョン受信機（以下、ＴＶ受信機という）は、正面側で映像を表示する横長の表示パネルを有する表示モジュールと、表示モジュールの正面及び背面を挟むようにして収容するフロントキャビネット及びリアキャビネット（筐体）と、スタンドとを備える。
【０００３】
バックライトが直下型である場合、表示モジュールは、表示パネル、光学シート、拡散板、反射シート、ＬＥＤ基板、ＢＬシャーシ、及びベゼル等を備える。ＢＬシャーシは箱状をなし、内底面に、ＬＥＤを基板に実装してなるＬＥＤ基板が複数並設されている。ＬＥＤ基板の基板には、ＬＥＤのレンズ部が突出する状態で、反射シートが載置されている。拡散板はＬＥＤに対向するように配され、拡散板には光学シート及び表示パネルが配されている。表示パネルの正面の周縁部及び側部はベゼルに覆われ、ベゼルはＢＬシャーシに一体化されている。表示モジュール（ＢＬシャーシ）の背後には、電源基板，信号処理基板等の部品を実装した支持板が配されている。
【０００４】
エッジライト型の場合、表示モジュールは、表示パネル、光学シート、ベゼル、導光板、反射シート、ＬＥＤ基板、ＢＬシャーシを備える。箱状のＢＬシャーシの内底面に反射シートが載置され、反射シートに対向させて導光板が配される。ＬＥＤ基板は導光板の側面に配され、導光板の平面に光学シート、及び表示パネルが配される。
【０００５】
近年、現行の高精細度テレビジョン放送（High Definition television：ＨＤＴＶ（画素数：横１９２０×縦１０８０））の４倍の画素数（４Ｋ）、又は１６倍の画素数（８Ｋ）の映像規格の映像を再生することができるＴＶ受信機が開発されている。
高精度の画質を楽しむために、表示モジュールの大きさを８０インチ以上にしたＴＶ受信機も開発されているが、信号処理速度及び輝度等を向上させるために、従来以上の電力が必要になっており、放熱構造が重要になっている。
【０００６】
この放熱構造として、いわゆる煙突構造がある。例えば直下型の場合、ＢＬシャーシと前記支持板との間に、長手方向に複数、合成スポンジ製の仕切り板を並設し、支持板の背面の、仕切り板間の上部に対応する部分にファンを設け、筐体の背板の下部又は下板に吸気孔を設け、筐体の背板のファンに対応する部分に排気孔を設けてある。ファンが駆動することにより、空気が吸気孔から吸気され、ＢＬシャーシと支持板との間を通流し、ファンの排気面を通って排気孔から排気される。
【０００７】
この構造により、ＬＥＤ基板及び支持板上の基板で生じた熱が排熱されるが、支持板の基板が集中している部分においては発熱温度が高く、ファンにより排熱を行った場合においても、ファン付近の、ベゼル及び筐体の可触部分が目標上限温度を超える場合がある。この場合、使用者が触れて低温やけどが生じる虞があり、ベゼルに対し放熱しているソース基板が加温され、ドライバＩＣの寿命が短くなる虞があるという問題がある。
そのため、この煙突構造等の放熱構造において、排熱部分付近の可触部分の温度を下げることが求められている。
【０００８】
特許文献１の表示装置においては、上述の煙突構造を、表示装置の上下方向の中央部で、２つに分けている。これにより、比較的大型の表示装置であっても静圧が比較的低いファンによって、騒音を防止しつつキャビネット内の温度上昇を抑制することが図られている。しかし、上述のベゼル及び筐体の可触部分等の部分の加温を十分に抑制するという課題を解決することはできない。
【０００９】
特許文献２の表示装置は、プラズマディスプレイパネル（ＰＤＰ）と、シャーシと、シャーシの背面上に、ＰＤＰの表示面の長手方向に互いに離間するように配置された一対の回路部と、回路部を収容するようにシャーシの背面を覆うバックカバーとを備えている。バックカバーには、回路部間でシャーシ側に窪む凹部と、短手方向の両端部に夫々設けられた吸気口，排気口とが設けられている。この表示装置においては、凹部により、吸気口から取り込まれた空気がシャーシと回路部の間に強制的に流されるように構成されている。この表示装置においては、ＰＤＰの表示面の長手方向の中央部に回路部を設けることができず、また、ＰＤＰの部品により加温された表示面中央部を冷却することができないという問題がある。
【先行技術文献】
【特許文献】
【００１０】
【特許文献１】特開２００８−１６４８０２号公報
【特許文献２】特開２０１１−２４２６３４号公報
【発明の概要】
【発明が解決しようとする課題】
【００１１】
本発明は斯かる事情に鑑みてなされたものであり、部品の発熱により加熱される筐体の部分を冷却することができ、加熱によるドライバＩＣ等の部品の寿命低下を抑制することができる表示装置、及び該表示装置を備えるテレビジョン受信機を提供することを目的とする。
【課題を解決するための手段】
【００１２】
本発明に係る表示装置は、正面に表示パネルを有する表示部と、該表示部の背面に配され、複数の部品が支持された部品支持板と、該部品支持板の背面に設けられたファンと、前記表示部、前記部品支持板、及び前記ファンを収容し、吸気孔及び排気孔を有する筐体とを備え、前記ファンの駆動により前記吸気孔から吸気された空気が、前記表示部と前記部品支持板との間を通流して前記排気孔から排気される表示装置において、前記背面に設けられた第２のファンと、前記第２のファンに対応させて前記筐体に設けられた第２の吸気孔、及び第２の排気孔と、前記表示部と前記部品支持板との間に、前記ファンから分離して前記第２のファンを囲むように設けられた仕切り部とを備えることを特徴とする。
【００１３】
本発明に係る表示装置は、上述の表示装置において、前記第２のファンは、前記背面の端縁部側の中央部に設けられていることを特徴とする。
【００１４】
本発明に係る表示装置は、上述の表示装置において、前記第２のファンは、排気面を前記背面に対向させて設けられていることを特徴とする。
【００１５】
本発明に係る表示装置は、上述の表示装置において、前記表示部と前記部品支持板との間に、前記仕切り部に連結され、各ファンを仕切る第２の仕切り部を備えることを特徴とする。
【００１６】
本発明に係るテレビジョン受信機は、上述のいずれかの表示装置と、テレビジョン放送を受信する受信部とを備え、前記受信部にて受信したテレビジョン放送に基づいて、前記表示装置に映像を表示することを特徴とする。
【発明の効果】
【００１７】
本発明の表示装置によれば、部品支持板の背面に設けられた第２のファンと、他のファンから分離して第２のファンを囲むように設けられた仕切り部とを備えるので、部品の発熱により加熱される筐体の可触部分等の部分を直接、良好に冷却することができる。従って、加熱によるドライバＩＣ等の部品の寿命低下が抑制され、接触による低温やけどが防止される。そして、特許文献２のように部品の配置が限定されることもない。
【図面の簡単な説明】
【００１８】
【図１】実施の形態１に係る表示装置を備えるＴＶ受信機の一部破断斜視図である。
【図２】図１のII−II線断面図である。
【図３】図３Ａは支持体の斜視図、図３Ｂは支持体の側面図である。
【図４】図４Ａは第１支持板を取り付ける前のＴＶ受信機の背面図、図４Ｂは第１支持板を取り付けた後のＴＶ受信機の背面図である。
【図５】図１のＶ−Ｖ線断面図である。
【発明を実施するための形態】
【００１９】
以下、本発明をその実施の形態を示す図面に基づいて具体的に説明する。
実施の形態１．
図１は実施の形態１に係る表示装置を備えるＴＶ受信機１の一部破断斜視図、図２は図１のII−II線断面図、図３Ａは支持体６の斜視図、図３Ｂは支持体６の側面図、図４Ａは第１支持板４を取り付ける前のＴＶ受信機１の背面図、図４Ｂは第１支持板４を取り付けた後のＴＶ受信機１の背面図、図５は図１のＶ−Ｖ線断面図である。
【００２０】
ＴＶ受信機１は、矩形状の表示パネルを有する表示モジュール２、表示モジュール２の正面の周縁部、側部、及び背部を覆う筐体３、第１支持板４、第２支持板５、支持体６、第１ファン７、第２ファン８、及び仕切り部９を備える。
以下、表示モジュール２の長手方向が左右方向（短手方向が上下方向）になるように、ＴＶ受信機１を直立させて配置する場合について説明する。図１において、ＴＶ受信機１は長手方向の中央部で切断し、第２支持板５及び筐体３の背板は省略してあり、中央部側の第１支持板４を取り付ける前の状態を示している。
【００２１】
表示モジュール２は、表示パネル、光学シート、拡散板、反射シート、ＬＥＤ基板、ＢＬシャーシ、及びベゼルを備える。ＢＬシャーシは箱状をなし、内底面にＬＥＤ基板が複数並設されている。ＬＥＤ基板の基板には、ＬＥＤのレンズ部が突出する状態で、反射シートが載置されている。拡散板はＬＥＤに対向するように配され、拡散板には光学シート及び表示パネルが配されている。表示パネルの正面の周縁部及び側部はベゼルに覆われ、ベゼルはＢＬシャーシに一体化されている。
【００２２】
第１支持板４は、表示モジュール２（ＢＬシャーシ）の背面に対向するように配されている。第１支持板４と表示モジュール２の背面との間には、後述する仕切り部９の第１仕切り部９１が介在している。第１支持板４には、電源基板，ＬＥＤ−ＤＲ基板，Ｔ−ＣＯＮ（Timing Controller）等の基板が取り付けられている。図２には、一例としてＴ−ＣＯＮ基板４３が第１支持板４の背面に取り付けられた状態を示している。
【００２３】
第１支持板４の上部には、丸孔の第１空気通流孔４１が６個並設されている。第１空気通流孔４１に対向するように支持体６が取り付けられている。支持体６には第１ファン７が取り付けられている（図４のＢ参照）。
【００２４】
支持体６は２つの広面を有する六面体状をなし、底面に隣接して対向する二側面の幅が漸次的に広くなるように形成されている。支持体６の第１支持板４に当接させる支持板当接面には丸孔の第１空気通流孔６１が、傾斜している広面（傾斜面）には第２空気通流孔６２が、底面には第３空気通流孔６３が、前記側面には第４空気通流孔６４が夫々設けられている（図３参照）。
【００２５】
支持体６の傾斜面に第１ファン７が取り付けられている。即ち、第１ファン７は、下部が第１支持板４に対して開くように斜めに第１支持板４に取り付けられていることになる。
【００２６】
第２支持板５は、第１支持板４の背面に対向するように配されている。第２支持板５には、パネル調整基板，信号処理基板，メイン基板，ＨＤＭＩ（登録商標）  ＩＦ基板，ＦＲＣ基板（フレームの倍速変換をする基板）等の基板が取り付けられている。メイン基板はチューナ及びデコーダ等を備える。図２には、一例として信号処理基板５３が第２支持板５の背面に取り付けられた状態を示している。第２支持板５には、第２空気通流孔６２に対向する丸孔の第１空気通流孔５１が設けられている。
【００２７】
筐体３の背板の、第１ファン７に対応する位置には角孔の第１排気孔３１が設けられており、筐体３の下板の、第１ファン７に対応する位置には角孔の第１吸気孔３２が設けられている。
【００２８】
第１ファン７を駆動することにより、空気が第１吸気孔３２から吸気される。支持体６には第１支持板４の第１空気通流孔４１に対向する第１空気通流孔６１が設けられているので、空気は表示モジュール２と第１支持板４との間を、熱を含みつつ下から上へ通流し、第１空気通流孔４１及び第１空気通流孔６１を通って第１ファン７の吸気面に入り、排気面から第１空気通流孔５１を通流して、第１排気孔３１から排気される。そして、支持体６には第３空気通流孔６３が設けられているので、空気は第１支持板４と第２支持板５との間を下から上へ通流し、第３空気通流孔６３を介し第１ファン７の排気面から第１空気通流孔５１を通流して、第１排気孔３１から排気される。
従って、表示モジュール２と第１支持板４との間を通流する空気により表示モジュール２のＬＥＤ基板等が冷却されるとともに、第１支持体４と第２支持板５との間を通流する空気により、第１支持板４に実装されているＴ−ＣＯＮ基板４３等の基板、及び第２支持板５に実装されている信号処理基板５３等の基板が良好に冷却される。
【００２９】
図４のＡに示すように、表示モジュール２の背面には、合成スポンジからなり、細長い板状をなし、表示モジュール２の正背方向（図４の紙面に垂直な方向）に幅方向が一致する状態で、仕切り部９が接着されている。
仕切り部９は、表示モジュール２の長手方向の両端寄りに、短手方向に延びるように設けられた４つの第１仕切り部９１と、表示モジュール２の長手方向の中央部に設けられ、高さが第１仕切り部９１より低い第２仕切り部９２と、第２仕切り部９２の上端部に連結されたＵ字状の第３仕切り部９３と、第３仕切り部９３の開口端部に連結され、表示モジュール２の長手方向に延び、第１仕切り部９１の上端部にも連結されている第４仕切り部９４とを備える。第２仕切り部９２と第３仕切り部９３とは、連結によりＹ字状をなす。
【００３０】
図４のＢに示すように、表示モジュール２の背面側に、その正面に仕切り部９の背面が当接する状態で、第１支持板４が配されている。
第１支持板４の背面の長手方向中央部の上部には第２ファン８が、第２ファン８の両側には各３個、前記第１ファン７が取り付けられている。第２ファン８は第３仕切り部９３により仕切られた部分の中央部に対応する位置に設けられ、第３仕切り部９３の側部と隣接する第１仕切り部９１との間に対応する位置に第１ファン７が設けられている。該第１仕切り部９１と隣接する第１仕切り部９１との間に対応する位置に第１ファン７が設けられ、該第１仕切り部９１と筐体３の短辺部分との間にさらに第１ファン７が設けられている。
【００３１】
図５に示すように、第１支持板４の第２仕切り部９２の中央部に対応する部分には、丸孔である第２空気通流孔４２が設けられており、第２ファン８は排気面を第２空気通流孔４２に対向させた状態で、即ち、支持体６を介さずに第１支持板４に取り付けられている。そして、第２ファン８の吸気面に対向するように、第２支持板５に、丸孔である第２空気通流孔５２が設けられている。
【００３２】
筐体３の背板の、第２ファン８に対応する位置には角孔の第２吸気孔３３が設けられており、筐体３の上板の、第３仕切り部９３の両側に対応する位置には夫々、角孔の第２排気孔３４が設けられている。
【００３３】
第２ファン８が駆動することにより、空気が第２吸気孔３３から吸気される。第２空気通流孔５２を通流して第２ファンの吸気面に入り、第２ファン８の排気面から送り出された空気は第２空気通流孔４２を通り、第３仕切り部９３内を通流して第２排気孔３４から排気される。第２排気孔３４は筐体３の上板に設けられているが、排気が吹き出されるので、埃が筐体３内に入ることは抑制されている。
第２ファン８は、第１ファン７のように表示モジュール２の部品並びに第１支持板４及び第２支持板５の部品を冷却することができないので、第３仕切り部９３の直ぐ両側に第１ファン７を配し、前記部品からの熱気を排気するようにしている。
【００３４】
第３仕切り部９３により、第１ファン７により通流される空気と、第２ファン８により通流される空気とが混ざることがない。第１仕切り部９１及び第４仕切り部９４により、各第１ファン７により通流される空気が混ざることが抑制され、空気がスムーズに流れるように構成されている。
【００３５】
第１ファン７は、第１支持板４の全長に亘って、複数設けられているので、表示モジュール２の全面に設けられた部品、並びに第１支持板４及び第２支持板５の全面に設けられた部品を冷却することができる。
【００３６】
以上のように、本実施の形態に係るＴＶ受信機１は、表示モジュール２の背面と第１支持板４との間のみならず、第１支持板４の背面側、即ち第１支持板４と第２支持板５との間にも空気の通流路が設けられており、表示モジュール２の部品とともに、第１支持板４及び第２支持板５に設けられた各部品を良好に冷却することができる。
第１支持板４と第２支持板５との間に設けられた空気の通流路により、信号処理基板５３等の発熱量が大きい部品が冷却されるので、筐体３及びベゼルの可触部分等の部分の加熱が抑制される。
【００３７】
本実施の形態においては、第２ファン８により筐体３及びベゼルの可触部分等の部分が直接冷却されるので、該部分の保熱が良好に抑制されている。従って、使用者が触れて低温やけどが生じることが防止され、ベゼル等に対し放熱しているソース基板が加温され、ドライバＩＣの寿命が短くなること等が抑制されている。そして、特許文献２の表示装置のように部品の配置が限定されることがなく、表示モジュール２の中央部を良好に冷却することができる。
【００３８】
なお、ＴＶ受信機１のバックライトは直下型に限定されるものではなく、エッジ型に適用することも可能である。また、筐体３の第１吸気孔３２は下板に設ける場合に限定されず、背板に設けることにしてもよい。さらに、第２排気孔３４は筐体３の上板に２箇所設ける場合に限定されず、メッシュ状の長板であってもよい。
【００３９】
第２ファン８を配する位置も表示モジュール２の中央部には限定されず、第１支持板４の所要の部分に設けることができる。第２ファン８の個数も１個には限定されない。第１ファン７を、支持体６を介さずに第１支持板４に設けることにしてもよい。
また、第１支持板４及び第２支持板５に実装する基板は、各板の背面に実装される場合に限定されず、正面に実装するものであってもよい。
【００４０】
実施の形態２．
実施の形態２に係るＴＶ受信機は、表示モジュール２の長手方向が上下方向（短手方向が左右方向）になるように、ＴＶ受信機を直立させて配置すること以外は、実施の形態１に係るＴＶ受信機１と同様の構成を有する。
実施の形態２に係るＴＶ受信機の配置は、実施の形態１の各図を、第１ファン７が正面に向かって右側に位置するように９０度回転させた場合に相当する。
【００４１】
第１ファン７を駆動することにより、空気が第１吸気孔３２から吸気される。空気は表示モジュール２と第１支持板４との間を通流し、第１空気通流孔４１及び第１空気通流孔６１を通って第１ファン７の吸気面に入り、排気面から第１空気通流孔５１を通流して、第１排気孔３１から排気される。そして、支持体６には、上述したように第４空気通流孔６４が設けられているので、第１支持板４及び第２支持板５の部品により暖められ、上昇する空気は第４空気通流孔６４を通って第１ファン７の吸気面に入り、排気面から第１空気通流孔５１を通流して、第１排気孔３１から排気される。
【００４２】
本実施の形態においても、実施の形態１と同様に、第２ファン８により、筐体３及びベゼルの可触部分等の部分が直接、良好に冷却される。従って、使用者が触れて低温やけどが生じることが防止され、ベゼル等に対し放熱しているソース基板が加温されてドライバＩＣの寿命が短くなること等が抑制されている。
【００４３】
なお、実施の形態２の場合、熱気は上昇し、下側の部品は熱くならないので、下側の第１ファン７は、支持体６を省略して、第１支持板４に設けることができる。これにより、部品点数を削減してコストダウンを図ることができる。
【００４４】
実施の形態３．
実施の形態３に係るＴＶ受信機は、第２ファンの吸気面及び排気面の配置が異なること以外は実施の形態１に係るＴＶ受信機１と同様の構成を有する。
実施の形態３に係るＴＶ受信機において、第２ファン８は、吸気面が第１支持板４の第２空気通流孔４２に対向する状態で、第１支持板４に取り付けられている。従って、図５における第２排気孔３４から空気が吸気され、第３仕切り部９３内を通流して、第２空気通流孔４２を通り、第２ファン８の排気面から第２空気通流孔５２を通り、図５における第２吸気孔３３から排気される。即ち、空気の通流の向きが図５の場合と逆である。
本実施の形態においては、冷たい外気を直接、温度が高くなっている部分に接触させることができる。
【００４５】
以上のように、本発明に係る表示装置（１）は、正面に表示パネルを有する表示部（２）と、該表示部の背面に配され、複数の部品が支持された部品支持板（４）と、該部品支持板の背面に設けられたファン（７）と、前記表示部、前記部品支持板、及び前記ファンを収容し、吸気孔（３２）及び排気孔（３１）を有する筐体（３）とを備え、前記ファンの駆動により前記吸気孔から吸気された空気が、前記表示部と前記部品支持板との間を通流して前記排気孔から排気される表示装置において、前記背面に設けられた第２のファン（８）と、前記第２のファンに対応させて前記筐体に設けられた第２の吸気孔（３３）、及び第２の排気孔（３４）と、前記表示部と前記部品支持板との間に、前記ファンから分離して前記第２のファンを囲むように設けられた仕切り部（９３）とを備えることを特徴とする。
【００４６】
本発明においては、部品の発熱により加熱される筐体、及び表示部のベゼル等の部分を第２のファンにより直接、良好に冷却することができる。従って、加熱によるドライバＩＣ等の部品の寿命低下が抑制され、接触による低温やけどが防止される。そして、仕切り部が設けられているので、第２のファンにより通流される空気は、他のファンにより通流される空気と混ざることがない。
【００４７】
本発明に係る表示装置は、前記第２のファンは、前記背面の端縁部側の中央部に設けられていることを特徴とする。
【００４８】
本発明においては、表示部の中央部に配され、発熱量が大きい部品により加熱される筐体の端縁部の中央部を良好に冷却することができる。
【００４９】
本発明に係る表示装置は、前記第２のファンは、排気面を前記背面に対向させて設けられていることを特徴とする。
【００５０】
本発明においては、第２の吸気孔から吸気され、ファンの排気面から送り出された空気が仕切り部内を通流して、第２の排気孔から排気される。そして、筐体の上板に第２の排気孔が設けられている場合、第２の排気孔から排気が上方へ吹き出されるので、埃が筐体内に入ることが抑制されている。
【００５１】
本発明に係る表示装置は、上述の表示装置において、前記表示部と前記部品支持板との間に、前記仕切り部に連結され、各ファンを仕切る第２の仕切り部を備えることを特徴とする。
【００５２】
本発明においては、隣接するファンにより通流される空気が混ざることがなく、空気がスムーズに流れ得る。
【００５３】
本発明に係るテレビジョン受信機は、上述のいずれかの表示装置と、テレビジョン放送を受信する受信部とを備え、前記受信部にて受信したテレビジョン放送に基づいて、前記表示装置に映像を表示することを特徴とする。
【００５４】
本発明においては、筐体の可触部分等の部分を直接、良好に冷却することができる。従って、ベゼル等に対し放熱しているソース基板が加温され、ドライバＩＣの寿命が短くなること等が抑制され、使用者が触れて低温やけどが生じることが防止されている。
【００５５】
本発明は上述した実施の形態の内容に限定されるものではなく、請求項に示した範囲で種々の変更が可能である。即ち、請求項に示した範囲で適宜変更した技術的手段を組み合わせて得られる実施形態も本発明の技術的範囲に含まれる。
例えば、本発明の表示装置はＴＶ受信機に適用する場合には限定されない。パーソナルコンピュータ等の表示装置にも適用することができる。
【符号の説明】
【００５６】
１  ＴＶ受像機
２  表示モジュール
３  筐体
３１  第１排気孔
３２  第１吸気孔
３３  第２吸気孔
３４  第２排気孔
４  第１支持板
４１  第１空気通流孔
４２  第２空気通流孔
４３  Ｔ−ＣＯＮ基板
５  第２支持板
５１  第１空気通流孔
５２  第２空気通流孔
５３  信号処理基板
６  支持体
６１  第１空気通流孔
６２  第２空気通流孔
６３  第３空気通流孔
６４  第４空気通流孔
７  第１ファン
８  第２ファン
９  仕切り部
９１  第１仕切り部
９２  第２仕切り部
９３  第３仕切り部
９４  第４仕切り部
【図１】
2017151218.tif 000003
【図２】
2017151218.tif 000004
【図３】
2017151218.tif 000005
【図４】
2017151218.tif 000006
【図５】
2017151218.tif 000007